(57)【特許請求の範囲】
【請求項１】
補聴器ケースの背面に補聴器機能を選択するプッシュスイッチを備えた耳かけ形補聴器において、前記プッシュスイッチを柔軟性のあるカバー部材で覆い、このカバー部材の周縁部に突出部を設け、この突出部により前記カバー部材と前記補聴器ケースとの接触部を密着構造にしたことを特徴とする耳かけ形補聴器。
【請求項２】
補聴器ケースの背面に補聴器機能を選択するプッシュスイッチを備えた耳かけ形補聴器において、前記補聴器ケースの背面に開口したスイッチ類収納部を設け、このスイッチ類収納部に前記プッシュスイッチを配置すると共に、前記スイッチ類収納部を柔軟性のある開閉自在なカバー部材で覆い、このカバー部材の周縁部に前記スイッチ類収納部の内壁部と嵌合する突出部を設け、この突出部と前記スイッチ類収納部の内壁部とが密接状態になることを特徴とする耳かけ形補聴器。
【請求項３】
前記スイッチ類収納部は、補聴器ケースの背面に突出して配置したボリュームと電源スイッチとの谷間に設けた請求項２記載の耳かけ形補聴器。
【発明の詳細な説明】
【０００１】
【発明の属する技術分野】
本発明は、補聴器ケースの背面に補聴器の機能を選択するプッシュスイッチを備えた耳かけ形補聴器に関する。
【０００２】
【従来の技術】
外部音に基づくアナログ電気信号をデジタル電気信号に変換して補聴処理し、補聴処理した信号を音響信号として出力する耳かけ形補聴器が知られている。この種の補聴器には、使用環境に適応するために複数の補聴処理プログラムの中から所望な補聴処理プログラムを選択するためのプッシュスイッチが設けられている。
【０００３】
例えば、プッシュスイッチを備えた耳かけ形補聴器としては、図６に示すように、装用しながらのスイッチ操作を容易にするため、補聴器ケース１００の背面１０１にプッシュスイッチの操作子１０２を突出させると共に、外部に露出して設けたものが知られている。
【０００４】
【発明が解決しようとする課題】
しかし、従来の耳かけ形補聴器においては、プッシュスイッチの操作子１０２が補聴器ケース１００の背面１０１から突出しているので操作性はよいものの、露出しているため操作子１０２と補聴器ケース１００の隙間から装用者の汗などが浸入し、内部の構成部品の機能を低下させるという問題があった。
【０００５】
本発明は、従来の技術が有するこのような問題点に鑑みてなされたものであり、その目的とするところは、プッシュスイッチに対する操作性を損うことなく、補聴器ケース内に装用者の汗などが浸入することがない耳かけ形補聴器を提供しようとするものである。
【０００６】
【課題を解決するための手段】
上記課題を解決すべく請求項１に係る発明は、補聴器ケースの背面に補聴器機能を選択するプッシュスイッチを備えた耳かけ形補聴器において、前記プッシュスイッチを柔軟性のあるカバー部材で覆い、このカバー部材の周縁部に突出部を設け、この突出部により前記カバー部材と前記補聴器ケースとの接触部を密着構造にしたものである。
【０００７】
請求項２に係る発明は、補聴器ケースの背面に補聴器機能を選択するプッシュスイッチを備えた耳かけ形補聴器において、前記補聴器ケースの背面に開口したスイッチ類収納部を設け、このスイッチ類収納部に前記プッシュスイッチを配置すると共に、前記スイッチ収納部を柔軟性のあるカバー部材で覆い、このカバー部材の周縁部に前記スイッチ類収納部の内壁部と嵌合する突出部を設け、この突出部と前記スイッチ類収納部の内壁部とが密接状態になるようにしたものである。
また、請求項３に係る発明は、請求項２記載の耳かけ形補聴器において、前記スイッチ類収納部は、補聴器ケースの背面に突出して配置したボリュームと電源スイッチとの谷間に設けたものである。
【０００８】
【発明の実施の形態】
以下に本発明の実施の形態を添付図面に基づいて説明する。ここで、図１は本発明に係る耳かけ形補聴器のブロック構成図、図２は本発明に係る耳かけ形補聴器の斜視図、図３は図２においてカバー部材を取り外した状態の耳かけ形補聴器の斜視図、図４はカバー部材を示し（ａ）は平面図、（ｂ）は（ａ）のＸ−Ｘ線断面図、（ｃ）は（ａ）のＹ−Ｙ線断面図、図５はカバー部材の補聴器ケースへの取付状態を示す断面図である。
【０００９】
本発明に係る耳かけ形補聴器は、図１に示すように、マイクロホン１、プログラム記憶部２、プログラム選択部３、補聴処理部４、増幅器５、イヤホン６などを備えている。７はプッシュスイッチである。
【００１０】
マイクロホン１は、外部音を音響電気変換してアナログ信号を出力する。プログラム記憶部２は、各種の使用環境に適応するための複数の補聴処理プログラムを記憶している。プログラム選択部３は、プログラム記憶部２が記憶している複数の補聴処理プログラムの中からプッシュスイッチ７の操作によって所望の補聴処理プログラムを選択し、それを補聴処理部４に出力する。
【００１１】
補聴処理プログラムの選択は、プッシュスイッチ７が押圧されて出力するオン信号（例えば、ハイレベル信号）の数（押圧回数）をプログラム選択部３が認識し、その数に対応する補聴処理プログラムをプログラム記憶部２から読み出すことで行われる。即ち、プッシュスイッチ７を押圧することにより、その押圧回数に応じて順次その押圧回数に対応する補聴処理プログラムが選択され、補聴処理部４に出力される。
【００１２】
補聴処理部４は、マイクロホン１が出力したアナログ信号をデジタル信号に変換し、このデジタル信号をプログラム選択部３が出力した補聴処理プログラムに基づいて処理し、処理した信号をアナログ信号に変換して出力する。
増幅器５は、補聴処理部４が出力したアナログ信号を増幅し、イヤホン６は増幅器５が出力したアナログ信号を電気音響変換して音響信号を出力する。
【００１３】
また、本発明に係る耳かけ形補聴器は、図２又は図３に示すように、マイクロホン１、プログラム記憶部２、プログラム選択部３、補聴処理部４、増幅器５、イヤホン６などを補聴器ケース８内に収納すると共に、補聴器ケース８の背面８ａに利得調節用ボリューム９と電源スイッチ１０を突出して配置している。
【００１４】
更に、ボリューム９と電源スイッチ１０との間に、プッシュスイッチ７を収納するための開口したスイッチ類収納部１１を設けている。なお、１２はスイッチ類収納部１１の開口を覆うカバー部材、１３はフック、１４はウインドカバー、１５は電池ホルダである。
【００１５】
スイッチ類収納部１１には、補聴特性、例えば音質などを切り換える複数の回転式操作子１６も配置されている。また、スイッチ類収納部１１を覆うカバー部材１２としては、柔軟性を有する材料、例えばデュポン社製のハイトレルなどの樹脂が適用される。
【００１６】
カバー部材１２は、図４（ａ）に示すように、楕円形状に形成されたカバー部１２ａの一端に係止部１２ｂを、他端に係合部１２ｃを設け、カバー部１２ａの周縁部にスイッチ類収納部１１の内壁部と嵌合する突出部１２ｄを設けている。１２ｅは、カバー部１２ａの他端上面に形成したフック部である。
【００１７】
また、図４（ｂ）に示すように、カバー部材１２の中央裏面には、プッシュスイッチ７を押圧する押圧部１２ｆが形成され、押圧部１２ｆと突出部１２ｄの間は厚みを薄くしてバネ部１２ｇとしている。
更に、図４（ｃ）に示すように、係止部１２ｂは、逆Ｔ字状に形成され、突出部１２ｄの下端側の外径は、下方に行くにつれ僅かではあるが大きく形成されている。
【００１８】
カバー部材１２を補聴器ケース８に取り付けてスイッチ類収納部１１を覆った状態では、図５に示すように、係止部１２ｂの逆Ｔ字状の先端は、補聴器ケース８の内部に形成した穴部（不図示）に嵌め込まれている。これにより、一旦嵌め込めば、カバー部材１２は補聴器ケース８から容易には脱落しない。
【００１９】
ここで、スイッチ類収納部１１の横断面形状は、カバー部材１２の横断面形状と比較して僅かに大きめに形成されているので、突出部１２ｄが僅かに弾性変形した状態でスイッチ類収納部１１の内壁部と接触することになる。これにより、スイッチ類収納部１１の内壁部と突出部１２ｄの先端部とが密接状態になり、汗などがスイッチ類収納部１１に浸入する虞がなくなる。
【００２０】
また、この時、カバー部材１２の係合部１２ｃはスイッチ類収納部１１の内壁部に形成された係合穴１１ａに嵌め込まれることになるので、カバー部材１２の表面に、繰り返し押圧力が作用したとしても、カバー部材１２がスイッチ類収納部１１から外れることがない。
カバー部材１２を開ける場合は、カバー部材１２の上面に形成したフック部１２ｅを爪などで引っ掛けて引き起こすようにすればよい。
【００２１】
プログラム記憶部３が記憶する複数の補聴処理プログラムの中から所望な補聴処理プログラムを選択する場合には、カバー部材１２の表面を所定の回数だけ押圧すればよい。そうすれば、所望な補聴処理プログラムが補聴処理部４に出力される。
【００２２】
また、補聴器ケース８の背面８ａに突出して配置されているボリューム９と電源スイッチ１０との谷間に設けたスイッチ類収納部１１にプッシュスイッチ７を配置しているので、指の感触だけで押圧すべき位置、即ちプッシュスイッチ７の位置が容易に確認できる。従って、耳かけ形補聴器を装着した状態で、プッシュスイッチ７のを押圧操作がより容易となる。
【００２３】
更に、開閉自在のカバー部材１２で覆うスイッチ類収納部１１内にプッシュスイッチ７の他に、音質などを切り換える複数の回転式の操作子１６を配置しているので、結果として耳かけ形補聴器の限られた背面のスペースを有効に使える。
【００２４】
本発明は、上述した実施の形態に限定されるものでなく、種々の変形が考えられる。
【００２５】
例えば、上述の実施の形態においては、補聴器ケース８の背面８ａに開口したスイッチ類収納部１１にプッシュスイッチ７も配置し、スイッチ類収納部１１をカバー部材１２で覆う構成とした。
しかし、弾性的に撓み変形するカバー部材を介してプッシュスイッチ７を押圧操作できればよいのであるから、スイッチ類収納部１１を設けることなく補聴器ケースの表面にプッシュスイッチ７を配置し、ドーム状に成型したカバー部材で覆うようにしてもよい。もちろん、この場合もカバー部材と補聴器ケースとで形成される隙間から汗などが浸入しないように配慮する必要がある。
【００２６】
また、上述の実施の形態においては、プッシュスイッチ７は、プログラム記憶部２が記憶する複数の補聴処理プログラムから一つの補聴処理プログラムを選択する機能を有するものとして説明した。
しかし、その他の補聴特性を選択する機能を有するものとしてもよい。その他の補聴特性としては、音質調整、周波数特性調整などがある。また、補聴処理部４へ入力信号としてマイクロホンの出力信号とするかテレホンコイルの出力信号とするかの入力選択の機能を持たせてもよい。
【００２７】
【発明の効果】
以上説明したように請求項１に係る発明によれば、カバー部材を押圧するだけでプッシュスイッチを操作することができるので、プッシュスイッチに対する操作性を損うことない。
また、カバー部材の周縁部に突出部を設け、この突出部によりカバー部材と補聴器ケースとの接触部を密着構造にしたので、装用者の汗などが補聴器ケース内へ浸入するのを防止することができる。
【００２８】
請求項２に係る発明によれば、補聴器ケースの背面から突出させることなくプッシュスイッチを設けることができので、外観上の見栄えが向上する。
また、カバー部材を押圧するだけでプッシュスイッチを操作することができるので、プッシュスイッチに対する操作性を損うことがない。
更に、カバー部材の周縁部にスイッチ類収納部の内壁部と嵌合する突出部を設け、この突出部とスイッチ類収納部の内壁部とが密接状態になるようにしたので、装用者の汗などが補聴器ケース内に浸入するのを防止することができる。
また、請求項３に係る発明によれば、スイッチ類収納部を、補聴器ケースの背面に突出して配置したボリュームと電源スイッチとの谷間に設けたので、指の感触だけで押圧すべき位置、即ちプッシュスイッチの位置が容易に確認できる。従って、耳かけ形補聴器を装着した状態で、プッシュスイッチのを押圧操作がより容易となる。
【図面の簡単な説明】
【図１】本発明に係る耳かけ形補聴器のブロック構成図
【図２】本発明に係る耳かけ形補聴器の斜視図
【図３】カバー部材を取り外した状態の耳かけ形補聴器の斜視図
【図４】カバー部材を示し、（ａ）は平面図、（ｂ）は（ａ）のＸ−Ｘ線断面図、（ｃ）は（ａ）のＹ−Ｙ線断面図
【図５】カバー部材の補聴器ケースへの取付状態を示す断面図
【図６】従来の耳かけ形補聴器の斜視図
【符号の説明】
１…マイクロホン、２…プログラム記憶部、３…プログラム選択部、４…補聴処理部、５…増幅器、６…イヤホン、７…プッシュスイッチ、８…補聴器ケース、１１…スイッチ類収納部、１２…カバー部材。
【図１】
0003682766.tif 000002
【図２】
0003682766.tif 000003
【図３】
0003682766.tif 000004
【図４】
0003682766.tif 000005
【図５】
0003682766.tif 000006
【図６】
0003682766.tif 000007